(57)【要約】  キャリッジを高速で移動させたときでも選針ミスが生じ難い選針機構と、その選針機構に用いるセレクタおよびスペーサを提供する。  本発明横編機の選針機構は、針床に形成される針溝内の所定位置に保持されたスペーサ７と、針溝内で摺動自在にスペーサ７と並列されるセレクタ６とを備える。このスペーサ７は、直線状の長尺片で、セレクタ６に面して形成されるスペーサ側摺動抵抗作用部（弾性屈曲部７１）を有する。セレクタ６は、直線状の長尺片で、その先端側に形成されると共に、針溝内に固定された架設部に係合して、セレクタ６を基底位置に位置決めする基点係合部と、セレクタ側摺動抵抗作用部（押出片６５）とを備える。セレクタ側摺動抵抗作用部とスペーサ側摺動抵抗作用部は、互いの接触により、セレクタ６の摺動抵抗が生じる領域を限定するように形成される。
2009016805.tif 000002
【特許請求の範囲】
【請求項１】
針床に形成される針溝内の所定位置に保持されたスペーサと、スペーサと並列され針溝内を摺動自在なセレクタで、編成用カムシステム、第一の選針アクチュエータ及び第二の選針アクチュエータが搭載されたキャリッジを針床の長手方向に沿って往復走行させた際、編成用カムシステムの作用を受けるセレクトジャックを、第一の選針アクチュエータの非選択状態により規定される基底位置、第一の選針アクチュエータの選択状態により規定される中間位置、第二の選針アクチュエータの選択状態により規定される進出位置という順次歯口側に近づく３つのポジションのいずれかに位置決めして針溝内で進退させるためのセレクタとを有する横編機の選針機構であって、
前記スペーサは、
針溝に沿った直線状の長尺片で、セレクタに面して形成されるスペーサ側摺動抵抗作用部を有し、
前記セレクタは、
針溝に沿った直線状の長尺片で、歯口側に配される先端と、歯口とは反対側に配される後端とを有し、
この先端側に形成されると共に、針溝内に固定された架設部に係合して、セレクタを基底位置に位置決めする基点係合部と、
前記架設部とセレクタとの接触点を支点として、セレクタの後端側が針溝の深さ方向に揺動可能な状態においては、スペーサ側摺動抵抗作用部と接触して前記揺動動作に対する摺動抵抗を作用させ、セレクタが進出位置の状態においては、スペーサ側摺動抵抗作用部と非接触となってセレクタの進退動作に対する摺動抵抗が作用されないように形成されたセレクタ側摺動抵抗作用部とを備えることを特徴とする横編機の選針機構。
【請求項２】
さらに、前記セレクタは、第一の選針アクチュエータ又は第二の選針アクチュエータの選択状態に応じてセレクトジャックを歯口方向に押し出す押出片を備え、
セレクタ側摺動抵抗作用部が前記押出片に設けられていることを特徴とする請求の範囲第１項に記載の横編機の選針機構。
【請求項３】
セレクタが基底位置にある場合のみセレクタ側摺動抵抗作用部がスペーサ側摺動抵抗作用部に接するように構成されたことを特徴とする請求の範囲第１項又は第２項に記載の横編機の選針機構。
【請求項４】
針床に形成される針溝内の所定位置に保持されたスペーサと、編成用カムシステム、第一の選針アクチュエータ及び第二の選針アクチュエータが搭載されたキャリッジを針床の長手方向に沿って往復走行させた際、編成用カムシステムの作用を受けるセレクトジャックとを備える横編機の選針機構に用いるセレクタで、スペーサに並列して針溝内に摺動自在に設けられ、セレクトジャックを、第一の選針アクチュエータの非選択状態により規定される基底位置、第一の選針アクチュエータの選択状態により規定される中間位置、第二の選針アクチュエータの選択状態により規定される進出位置の３つのポジションのいずれかに位置決めして順次歯口側に近づくよう針溝内で進退させるための横編機の選針機構用セレクタであって、
このセレクタは、
直線状の長尺片で、歯口側に配される先端と、歯口とは反対側に配される後端とを有し、
この先端側に形成されると共に、針溝内に固定された架設部に係合して、セレクタを基底位置に位置決めする基点係合部と、
前記架設部とセレクタとの接触点を支点として、セレクタの後端側が針溝の深さ方向に揺動可能な状態においては、前記スペーサに設けられたスペーサ側摺動抵抗作用部と接触して前記揺動動作に対する摺動抵抗を作用させ、セレクタが進出位置の状態においては、スペーサ側摺動抵抗作用部と非接触となってセレクタの進退動作に対する摺動抵抗が作用されないように形成されたセレクタ側摺動抵抗作用部とを備えることを特徴とする横編機の選針機構用セレクタ。
【請求項５】
編成用カムシステム、第一の選針アクチュエータ及び第二の選針アクチュエータが搭載されたキャリッジを針溝が列設された針床の長手方向に沿って往復走行させた際、編成用カムシステムの作用を受けるセレクトジャックと、セレクトジャックを、第一の選針アクチュエータの非選択状態により規定される基底位置、第一の選針アクチュエータの選択状態により規定される中間位置、第二の選針アクチュエータの選択状態により規定される進出位置の３つのポジションのいずれかに位置決めして順次歯口側に近づくよう針溝内で進退させるためのセレクタとを備える横編機の選針機構に用いるスペーサで、セレクタに並列して針溝内の所定位置に保持される横編機の選針機構用スペーサであって、
前記セレクタは、
直線状の長尺片で、歯口側に配される先端と、歯口とは反対側に配される後端とを有し、
この先端側に形成されると共に、針溝内に固定された架設部に係合して、セレクタを基底位置に位置決めする基点係合部と、
スペーサに面して設けられたセレクタ側摺動抵抗作用部とを備え、
前記スペーサは、
直線状の長尺片で、
前記架設部とセレクタとの接触点を支点として、セレクタの後端側が針溝の深さ方向に揺動可能な状態においては、前記セレクタ側摺動抵抗作用部と接触して前記揺動動作に対する摺動抵抗を作用させ、セレクタが進出位置の状態においては、セレクタ側摺動抵抗作用部と非接触となってセレクタの進退動作に対する摺動抵抗が作用されないように形成されたスペーサ側摺動抵抗作用部とを備えることを特徴とする横編機の選針機構用スペーサ。
【発明の詳細な説明】
【技術分野】
【０００１】
本発明は、横編機の選針機構、横編機の選針機構用セレクタ及び横編機の選針機構用スペーサに関するものである。
【背景技術】
【０００２】
従来から、横編機では、針床に並設される多数の針溝内で摺動される編針を、針床の長手方向に沿って往復運動するキャリッジに搭載される編成用カムシステムで駆動して、編成動作を行なわせている（例えば、特許文献１を参照）。編成動作は、ニット、タック、ミスの３つを基本とする。編針の歯口側への突出位置は、ニットの場合が最も突出した進出位置、タックの場合が中間位置、ミスの場合が歯口とは反対側に後退した基底位置となる。【０００３】
これらの編成動作は、選針機構により編針の動作を制御することにより行われる。この選針機構を図８に基づいて説明する。編針Ｋは、ニードル本体１と、ニードルジャック２と、セレクトジャック３と、セレクタ４とを備える（図８（Ａ））。この編針Ｋが配置される針床１０には、多数のニードルプレート１０ｐが紙面と垂直な方向に所定間隔で立設されており、隣り合うニードルプレート１０ｐ間が針溝となる。この針溝一つに付き、編針Ｋが一つ収納されている。さらに、針溝内には、セレクタ４に並列してスペーサ５が保持されている。【０００４】
ニードル本体１は、フック１１と、フック１１を開閉するラッチ１２とを備えたべら針であり、ニードル本体１の基底側には、ニードルジャック２が連結されている。【０００５】
ニードルジャック２は、ニードル１を針溝沿いに移動させて編成動作を行なわせる部材である。ニードルジャック２には、目移し動作用バット２１および編成や編目受けなどの動作時に使用される編成動作用バット２２が設けられている。これらのバット２１，２２が、後述するカムシステムにより動作されると、ニードルジャック２が歯口ｇ方向に移動して、ニードル本体１を歯口ｇに進出させる。また、ニードルジャック２の中間部は、ニードルプレート１０ｐを貫通するピアノ線１０ａに当接される。そして、ニードルジャック２は、基底側端部が針溝の底部に接触されており、次述するセレクトジャック３の先端により針溝の底部側に押圧を受けた際、弾性変形して湾曲される。【０００６】
セレクトジャック３は、後述するように、自身のポジションによりニードルジャック２を押圧するかどうかの選択を行なう部材である。このセレクトジャック３は、編針Ｋのニット、タック、ミスの各ポジションに対応した３つの凹部を尾部３２側に備え、いずれかの凹部がピアノ線１０ｄに係合することで、進退方向の位置決めがなされる。セレクトジャック３の先端部には、選択用バット３１が設けられている。この選択用バット３１が針溝の底部側に押圧されると、セレクトジャック３の先端部が針溝内に沈み、ニードルジャック２の中間部を湾曲させ、ニードルジャック２の編成動作用バット２２を針溝に沈ませる。編成用バット２２が針溝内に沈むと、上述した編成用カムシステムが編成用バット２２に作用しないため、ニードルジャック２は針溝に沿った方向に摺動されない。【０００７】
セレクタ４は、セレクトジャック３の位置を変化させるための部材で、針溝内において、ピアノ線１０ｂ、１０ｃにより支持されている。セレクタ４には、編成用カムシステムの作用により、セレクタ４を基底側に押し下げる下げ用バット４１と、セレクタ４を歯口ｇに向かって押し上げる上げ用バット４２とが設けられている。また、下げ用バット４１を上げ用バット４２との間には、選針用バット４３が設けられている。針床上で隣接される各セレクタ４に設けられた選針用バット４３は、両バット４１、４２の間で、セレクタ４の長さ方向の位置が順次異なるように設けられている。【０００８】
さらに、セレクタ４は、針溝内でピアノ線１０ｂによって針溝長手方向に位置決めされ、その位置でピアノ線１０ｂとの接触点を支点として揺動可能に支持される。具体的には、セレクタ４の歯口側にピアノ線１０ｂに係合する基点係合部４Ａがあり、下げ用バット４１の下方付近にピアノ線１０ｃに係合する凹部４Ｂが形成されている。基点係合部４Ａをピアノ線１０ｂに係合した状態において、前記凹部４Ｂの分だけセレクタ４の揺動が許容される。【０００９】
スペーサ５は、針溝内にセレクタ４と並列して収納され、セレクタを薄く（軽く）することで、選針アクチュエータ及び編成用カムシステムで摺動されるセレクタの反応速度をより高速にさせるための部材である。スペーサ５は、図８（Ｂ）に示すように、針溝内においてセレクタ４の動作範囲とほぼ重複する領域に配置され、ピアノ線１０ｂ、１０ｃ、１０ｅにより支持されている。【００１０】
このような選針機構が、キャリッジを針床に沿って走行させた際、どのように動作するかを図８（Ｂ）、図９、図１０を用いて説明する。【００１１】
選針機構による選針には、ミスする編針Ｋか、ニット若しくはタックする編針Ｋかを選針する１段階目の選抜と、タックする編針Ｋか、ニットする編針Ｋかを選針する２段階目の選抜とがある（類似の機構を示す文献として特許文献２）。キャリッジは、図１０の中心線１００ｃに対して左右対称に一対のカムシステム１００を備えており、例えばキャリッジが左行したときに、右側のカムシステム１００に対して、左側のカムシステム（図示略）の右側の選針アクチュエータ９９Ｌが第1の選針アクチュエータとなり、右側のカムシステム１００の左側の選針アクチュエータ９９Ｒが、第２の選針アクチュエータとなる。図１０中の矢印は、カムが作用したときの各バットの遷移状態を示す。【００１２】
まず、図８（Ｂ）に示す編針Ｋの配置状態（以下、この状態のときのセレクタ４とセレクトジャック３の位置をＢポジション（基底位置）とする）で、カムシステム１００が編針Ｋを通過すると、図１０の選針アクチュエータ９９Ｌにより、選針用バット４３を針溝内に沈めないことで１段階目の選針が行われる。編針Ｋが非選針状態になると、選針用バッド４３、上げ用バット４２が針溝内に沈められて（図９（Ａ）参照）、セレクタ４は、上げ用セレクタガイドカム８８、セレクタレイジングカム８９及び後段の選針アクチュエータ９９Ｒの作用を受けなくなる。つまり、ニードルジャック２、ニードル本体１が歯口側に進出しないミスとなる。【００１３】
一方、編針Ｋが、第１の選針アクチュエータ９９Ｌにより選針された場合、上げ用バット４２と上げ用セレクタガイドカム８８の上げ部８８ａの係合で、セレクタ４が歯口側に進出する。このとき、押出片４５がセレクトジャック３を歯口側に進出させ、図９（Ｂ）の配置状態（以下、この状態のときのセレクタ４とセレクトジャック３の位置をＨポジション（中間位置）とする）になる。そして、下げ用セレクタガイドカム８７の作用により、セレクタ４のみがＢポジションに戻り、セレクトジャック３がＨポジションを維持したまま、編針Ｋは、選針アクチュエータ９９Ｒにより２段階目の選抜を受ける。【００１４】
２段階目の選抜で非選針となった編針Ｋは、上げ用バット４２が針溝内に沈められる。つまり、セレクトジャック３が、Ｈポジションに維持されたまま、固定ニードルレイジングカム８２の作用でニードルジャック２を歯口側に移動し、ニードル本体１を歯口ｇに進出させ、タックが行なわれる。【００１５】
さらに、２段階目の選抜により編針Ｋが選針された場合、上げ用バット４２は、セレクタレイジングカム８９に突き上げられ、セレクタ４とセレクトジャック３とが歯口側に進出し、図９（Ｃ）の配置状態（以下、この状態のセレクタ４とセレクトジャック３の位置をＡポジション（進出位置）とする）になる。セレクタレイジングカム８９により突き上げられたセレクタ４は、下げ用バット４１に作用する下げ部８７ａにより、直ちにＢポジションに戻される。【００１６】
そして、Ａポジションにおいて、編成用バット２２は、固定ニードルレイジングカム８２と可動ニードルレイジングカム８３の作用を受けてニードル本体１を進出させ、ステッチカム８４の作用でニードル本体を後退させて、ニットを行なわせる。２段階目の選針が行なわれた後は、セレクタ４の尾部４４が復帰カム９０により押し上げられて選針用バット４２が針溝から突出され、セレクタ４は次の編成の選針に備える状態になる。【００１７】
【特許文献１】特公平７−３３６１９号公報
【特許文献２】特開平８−７４１４６号公報（図１）
【発明の開示】
【発明が解決しようとする課題】
【００１８】
ところで、近年では、横編機において、編成速度の更なる高速化に対応するため、キャリッジの移動速度を高速化することが検討されている。しかし、キャリッジの移動速度を高速化するには、従来の選針機構では選針ミスや選針機構の構成部材の摩耗などが生じる虞がある。【００１９】
既述したように、セレクタ４は針溝に沿った摺動だけではなく、ピアノ線１０ｂとの接触点を支点として揺動され、その基底側を針溝内に沈み込ませる動作も伴う。これらのセレクタ４の動作は、重力や振動などの影響を受けることなく、カムシステム１００の作用によってのみ行われるようにする必要がある。そのため、従来のセレクタ４は、全長に亘って弓なりに湾曲され、セレクタ４の両端部をニードルプレート１０ｐに、中間部をスペーサ５に接触させることで、セレクタ４の動作に対して所定の摺動抵抗を発生させている。【００２０】
しかし、このセレクタ４では、セレクタ４をＨポジションからＢポジションに復帰させる場合、揺動の支点よりも上方に位置する下げ用バット４１を基底側に押圧するため、セレクタの尾部４４側が針溝底部側に下がりやすい。特に、従来のセレクタ４では、力点となる下げ用バット４１に近い位置で、かつ下げ用バット４１よりも下方（針溝底部側）の位置に摺動抵抗が作用すると考えられる。そのため、この摺動抵抗により、セレクタ４をＢポジションに戻す際、尾部４４側が針溝内に沈められる方向にセレクタ４を揺動させるモーメントが作用する。また、このモーメントは、セレクタ４を後退させる速度が速いほど大きくなる。その結果、セレクタ４が真直ぐに基底側に後退せず、尾部４４側が揺動されながら基底側に後退し、セレクタ４がＢポジションに戻ったときに選針バット４３が針溝に沈みこんだ状態となることがある。このような状態となった編針Ｋは、上例の場合、選針アクチュエータ９９Ｒの選針を受けることができず、選針ミスが生じることになる。【００２１】
また、従来のセレクタでは、そのポジションに関わらず、摺動抵抗がセレクタの進退動作と揺動動作の双方に対して常時作用する。編成を高速化した際、この進退動作に対する摺動抵抗が大きいと、セレクタ、スペーサ、ニードルプレート又は選針アクチュエータの可動突起の摩耗・損傷を招く虞がある。【００２２】
本発明は、上記の事情に鑑みてなされたものであり、その目的の一つは、キャリッジを高速で移動させたときでも選針ミスが生じ難い選針機構と、その選針機構に用いるセレクタおよびスペーサを提供することにある。【００２３】
また、本発明の他の目的は、キャリッジを高速で移動させたときでも構成部材の摩耗や損傷が生じ難い選針機構と、その選針機構に用いるセレクタおよびスペーサを提供することにある。
【課題を解決するための手段】
【００２４】
本発明者は、以下の各点に着目して検討を行った結果、セレクタの進退方向の特定位置でのみ、セレクタの進退動作と揺動動作に対する摺動抵抗が作用するようにセレクタとスペーサの構成に工夫を施し、本発明を完成するに至った。
(1)セレクタの揺動動作に対しては、基本的にはセレクタがＢポジションの場合に摺動抵抗が作用すれば良く、他のポジションでは摺動抵抗が作用しなくてもよい。
(2)セレクタの進退動作に対する摺動抵抗は小さい方が好ましく、ＨポジションやＡポジションでは、この摺動抵抗が作用しなくてもよい。
(3)摺動抵抗は、力点となる下げ用バットから離れた位置でセレクタに作用する方が揺動抑制に有効である。【００２５】
すなわち、本発明横編機の選針機構は、針床に形成される針溝内の所定位置に保持されたスペーサと、スペーサと並列され針溝内で摺動自在なセレクタとを備える。このセレクタは、編成用カムシステム、第一の選針アクチュエータ及び第二の選針アクチュエータが搭載されたキャリッジを針床の長手方向に沿って往復走行させた際、編成用カムシステムの作用を受けるセレクトジャックを、３つのポジションのいずれかに位置決めして進退させる。３つのポジションには、第一の選針アクチュエータの非選択状態により規定される基底位置、第一の選針アクチュエータの選択状態により規定される中間位置、第二の選針アクチュエータの選択状態により規定される進出位置があり、各位置は順次歯口側に近づく。ここで、このスペーサは、針溝に沿った直線状の長尺片で、セレクタに面して形成されるスペーサ側摺動抵抗作用部を有する。前記セレクタは、針溝に沿った直線状の長尺片で、歯口側に配される先端と、歯口とは反対側に配される後端とを有する。さらに、セレクタは、その先端側に形成されると共に、針溝内に固定された架設部に係合して、セレクタを基底位置に位置決めする基点係合部と、セレクタ側摺動抵抗作用部とを備える。そして、セレクタ側摺動抵抗作用部は、架設部とセレクタとの接触点を支点として、セレクタの後端側が針溝の深さ方向に揺動可能な状態においては、スペーサ側摺動抵抗作用部と接触して前記揺動動作に対する摺動抵抗を作用させ、セレクタが進出位置の状態においては、スペーサ側摺動抵抗作用部と非接触となってセレクタの進退動作に対する摺動抵抗が作用されないように形成されたことを特徴とする。【００２６】
この選針機構において、さらに、前記セレクタは、第一の選針アクチュエータ又は第二の選針アクチュエータの選択状態に応じてセレクトジャックを歯口方向に押し出す押出片を備え、セレクタ側摺動抵抗作用部が前記押出片に設けられていることが好ましい。【００２７】
また、本発明選針機構において、セレクタが基底位置にある場合のみセレクタ側摺動抵抗作用部がスペーサ側摺動抵抗作用部に接するように構成されることが好適である。【００２８】
一方、本発明横編機の選針機構用セレクタは、針床に形成される針溝内の所定位置に保持されたスペーサと、編成用カムシステム、第一の選針アクチュエータ及び第二の選針アクチュエータが搭載されたキャリッジを針床の長手方向に沿って往復走行させた際、編成用カムシステムの作用を受けるセレクトジャックとを備える横編機の選針機構に用いるセレクタである。このセレクタは、スペーサに並列して針溝内に摺動自在に設けられ、セレクトジャックを、３つのポジションで位置決めして進退させる。３つのポジションには、第一の選針アクチュエータの非選択状態により規定される基底位置、第一の選針アクチュエータの選択状態により規定される中間位置、第二の選針アクチュエータの選択状態により規定される進出位置があり、各位置は順次歯口側に近づく。このセレクタは、直線状の長尺片で、歯口側の先端と、歯口とは反対側の後端とを有する。また、このセレクタは、その先端側に形成されると共に、針溝内に固定された架設部に係合して、セレクタを基底位置に位置決めする基点係合部と、セレクタ側摺動抵抗作用部とを備える。そして、このセレクタ側摺動抵抗作用部は、架設部とセレクタとの接触点を支点として、セレクタの後端側が針溝の深さ方向に揺動可能な状態においては、前記スペーサに設けられたスペーサ側摺動抵抗作用部と接触して前記回転動作に対する摺動抵抗を作用させ、セレクタが進出位置の状態においては、スペーサ側摺動抵抗作用部と非接触となり、セレクタの進退動作に対する摺動抵抗が作用されないように形成されたことを特徴とする。【００２９】
さらに、本発明横編機の選針機構用スペーサは、編成用カムシステム、第一の選針アクチュエータ及び第二の選針アクチュエータが搭載されたキャリッジを針溝が列設された針床の長手方向に沿って往復走行させた際、編成用カムシステムの作用を受けるセレクトジャックと、セレクトジャックを、３つのポジションで位置決めして進退させるためのセレクタとを備える横編機の選針機構に用いるスペーサである。３つのポジションには、第一の選針アクチュエータの非選択状態により規定される基底位置、第一の選針アクチュエータの選択状態により規定される中間位置、第二の選針アクチュエータの選択状態により規定される進出位置があり、各位置は順次歯口側に近づく。このセレクタは、直線状の長尺片で、歯口側の先端と、歯口とは反対側の後端とを有する。また、このセレクタは、その先端側に形成されると共に、針溝内に固定された架設部に係合して、セレクタを基底位置に位置決めする基点係合部と、スペーサに面して設けられたセレクタ側摺動抵抗作用部とを備える。一方、スペーサは、セレクタに並列して針溝内の所定位置に保持される、直線状の長尺片である。そして、このスペーサは、架設部とセレクタとの接触点を支点として、セレクタの後端側が針溝の深さ方向に揺動可能な状態においては、前記セレクタ側摺動抵抗作用部と接触して前記揺動動作に対する摺動抵抗を作用させ、セレクタが進出位置の状態においては、セレクタ側摺動抵抗作用部と非接触となってセレクタの進退動作に対する摺動抵抗が作用されないように形成されたスペーサ側摺動抵抗作用部とを備えることを特徴とする。
【発明の効果】
【００３０】
本発明の横編機の選針機構によれば、セレクタの針溝内における進退方向の所定位置でのみ、セレクタの進退動作および揺動動作に対する摺動抵抗を作用させることができる。そのため、セレクタをＨポジション（中間位置）からＢポジション（基底位置）に復帰させる際、セレクタの後端側が針溝内に沈み込むことを抑制でき、選針ミスの発生を低減できる。【００３１】
また、上記摺動抵抗の作用するセレクタの位置を特定することで、セレクタの進退動作に対する摺動抵抗を極力低減し、キャリッジを高速走行させた場合でも、セレクタ、スペーサ、ニードルプレート、選針アクチュエータの可動突起の摩耗・損傷を抑制することができる。【００３２】
さらに、セレクタもスペーサも直線状の形状で良いため、従来のようにセレクタ全体を湾曲加工する必要もない。【００３３】
その他、本発明選針機構において、セレクタ側摺動抵抗作用部をセレクタの押出片に設ければ、押出片とは別にセレクタ側摺動抵抗作用部を設ける必要がない。通常、押出片はセレクトジャックの後端（基底側）に位置するため、この押出片をセレクタ側摺動抵抗作用部とすれば、セレクタを基底位置に復帰させる際、力点から基底側に離れた箇所に摺動抵抗を作用させることができ、セレクタの揺動を効果的に抑制できる。【００３４】
そして、本発明選針機構において、セレクタが基底位置にある場合のみセレクタ側摺動抵抗作用部がスペーサ側摺動抵抗作用部に接するようにすれば、セレクタが基底位置である場合のみ摺動抵抗が作用し、他の位置では摺動抵抗作用部同士の接触による摺動抵抗が作用しないことになる。そのため、特にセレクタの進退動作に対する摺動抵抗を大幅に軽減でき、セレクタ、スペーサ、ニードルプレートおよび選針アクチュエータの可動突起の摩耗・損傷を抑制できる。【００３５】
一方、本発明の選針機構用セレクタまたはスペーサによれば、上記の本発明選針機構を構成するのに好適に利用できる。
【図面の簡単な説明】
【００３６】
【図１】実施形態１のセレクタの概略構成図であって、（Ａ）は正面図、（Ｂ）は下面図である。
【図２】実施形態１のスペーサを示す概略構成図であって、（Ａ）は正面図、（Ｂ）は下面図、（Ｃ）は（Ｂ）の丸で囲った部分の拡大図である。
【図３】（Ａ），（Ｂ）は、実施形態１の選針機構において編針がＢポジションにある状態を示す概略部分断面図で、（Ａ）は選針状態を、（Ｂ）は非選針状態を示す。
【図４】（Ａ）は、実施形態１の選針機構において編針がＨポジションにある状態を、（Ｂ）は、実施形態１の選針機構において編針がＡポジションにある状態を示す概略部分断面図である。
【図５】実施形態２のセレクタの概略構成図であって、（Ａ）は正面図、（Ｂ）は下面図、（Ｃ）は（Ｂ）の丸で囲った部分の拡大図である。
【図６】実施形態２のスペーサの概略構成図であって、（Ａ）は正面図、（Ｂ）は下面図である。
【図７】実施形態２におけるセレクタとスペーサとの位置関係を示す概略説明図であって、（Ａ）はＢポジションで選針状態にあるとき、（Ｂ）はＢポジションで非選針状態にあるとき、（Ｃ）はＨポジションにあるとき、（Ｄ）はＡポジションにあるときを示す。
【図８】（Ａ）は、編針の概略構成図と針床の概略部分断面図を示し、（Ｂ）は、針床に編針が収納された状態を示す概略部分断面図であって、編針がＢポジションにある状態を示す。
【図９】（Ａ）〜（Ｃ）は、従来の選針機構の概略部分断面図であって、（Ａ）は、編針がＢポジションで非選針の状態を、（Ｂ）は、編針がＨポジションにあるときの状態を、（Ｃ）は、編針がＡポジションにあるときの状態を示す。
【図１０】選針機構の動作状態を示す説明図である。
【符号の説明】
【００３７】
Ｋ  編針    ｇ  歯口
６，６０  セレクタ  ６１  下げ用バット  ６２  上げ用バット
６３  選針用バット  ６４  尾部  ６５、６５０  押出片
６６  先端部  ６Ａ  基点係合部  ６Ｂ  凹部
７，７０  スペーサ  ７１  弾性屈曲部  ７２〜７５  凹部
７１０  空所  ７５０  突片  ７Ａ  水平片  ７Ｂ  Ｌ型片
１  ニードル本体  １１  フック  １２  ラッチ
２  ニードルジャック
２１  目移し動作用バット  ２２  編成動作用バット
３  セレクトジャック  ３１  選択用バット  ３２  尾部
４  セレクタ  ４１  下げ用バット  ４２  上げ用バット
４３  選針用バット  ４４  尾部  ４５  押出片  ４Ａ  基点係合部
４Ｂ  凹部
５  スペーサ
１０  針床  １０ｐ  ニードルプレート  １０ａ〜１０ｅ  ピアノ線
１００  カムシステム  １００ｃ  中心線
８２  固定ニードルレイジングカム
８３  可動ニードルレイジングカム  ８４  ステッチカム
８７  下げ用セレクタガイドカム  ８７ａ  下げ部
８８  上げ用セレクタガイドカム  ８８ａ  上げ部
８９  セレクタレイジングカム
９０  復帰カム
９９，９９Ｌ，９９Ｒ  選針アクチュエータ
９９ｎ  可動突起
【発明を実施するための最良の形態】
【００３８】
以下、本発明の実施形態を図に基づいて説明する。本発明の選針機構は、編針のうち、セレクタとスペーサの形状に特徴があり、これらセレクタとスペーサ以外の構成は、図８〜１０を参照して既に説明した従来の横編機の選針機構と同一である。また、編針の選針方法や、編針に対するカムシステムの作用機構、編針の編成動作なども従来の横編機と同一である。従って、以下の実施形態では、従来の横編機との相違点を中心に説明する。【００３９】
＜実施形態１＞
図１（Ａ）は、本発明セレクタの正面図、図１（Ｂ）はセレクタの下面図である。図２（Ａ）は、本発明スペーサの正面図、図２（Ｂ）は、スペーサの下面図、図２（Ｃ）は、図２（Ｂ）の丸で囲った部分の拡大図である。【００４０】
セレクタ６は、正面から見た形状が、従来のセレクタとほぼ同じ形状を有する長尺片である。しかし、このセレクタ６を下面からみたときに、従来のセレクタと異なり、厚さ方向に湾曲しておらず、真直ぐになっている。このセレクタ６には、歯口側となる先端部６６に基点係合部６Ａがあり、後述するバット６１の下方付近に凹部６Ｂが形成されている。また、セレクタ６の先端部６６側に下げ用バット６１が、基底側に配置される尾部６４側（後端側）に上げ用バット６２が、下げ用バット６１と上げ用バット６２との間に選針用バット６３が設けられている。いずれのバット６１、６２、６３もセレクタ６の上方に突設されている。さらに、セレクタ６には、セレクタ６の上げ用バット６２の近傍に、下方に突出する押出片６５が設けられている。これらの部位６Ａ、６Ｂ、６１〜６５は、図８，９，１０を参照して説明した従来のセレクタにおける同一名称の部位と同じ機能を有している。但し、押出片６５は、後述するスペーサ７と接触して、セレクタ６の進退動作および揺動動作に対する摺動抵抗を生じさせるセレクタ側摺動抵抗作用部としての機能を持つ。【００４１】
一方、セレクタ６と同様に、スペーサ７も、下面からみたときに全長が厚さ方向に湾曲しておらず、真直ぐになっている。このスペーサ７には、スペーサ７を下面からみたときに、Ｖ字状に屈曲した形状を有し、スペーサ７の厚さ方向に突出する弾性屈曲部７１を有する。弾性屈曲部７１は、セレクタ６とスペーサ７とが並列されたときに、押出片６５に接触してセレクタ６を弾性屈曲部７１の突出方向に付勢する箇所で、スペーサ側摺動抵抗作用部に相当する。本例では、この弾性屈曲部７１を形成するため、スペーサ７を基底側（図２の左側）の途中でスペーサ幅方向に二股に分岐して、一方を水平片７Ａとし、他方をＬ型片７Ｂとしている。この水平片７Ａは、基底側に延びて、その先端が自由端となっている。水平片７Ａを形成した箇所の近傍は、他の箇所に比べて厚さを薄くし、その薄い箇所で水平片７Ａを構成した。一方、Ｌ型片７Ｂは、水平片７Ａの上部に平行に位置して基底側に延びる細幅部と、細幅部の先端から下方に回りこんで、水平片７Ａの自由端に対して間隔を開けて位置される幅広の端縁部とからなっている。そして、この水平片７ＡをＶ字状に屈曲することで弾性屈曲部７１を形成した。水平片７Ａは、その近傍領域以外の箇所に比べて厚さが薄いため、Ｖ字状に屈曲した際、セレクタ６に対して微妙な弾性力を付与させることに好適である。このような弾性屈曲部７１が形成された結果、スペーサ７のうち、水平片７Ａ以外の領域は、実質的に同一平面上に構成されている。その他、スペーサ７には、針床のニードルプレートを貫通するピアノ線（架設部）に係合する凹部７２〜７５が設けられている。【００４２】
上述したセレクタ６とスペーサ７を用いた編針を針床に収納した選針機構を図３，４に示す。図３は、編針がＢポジションにある選針機構の概略構成を示し、図４（Ａ）は編針がＨポジション、（Ｂ）はＡポジションにある選針機構の概略構成を示す。なお、図３（Ｂ）と図４においては、ニードルプレートを省略し、さらに図４では、選針アクチュエータを省略している。【００４３】
図３（Ａ）は、基底状態であるいわゆるＢポジションにある選針状態の編針Ｋの状態を示す。スペーサ７は、その凹部７２〜７５（図２）が、それぞれ針床１０のピアノ線１０ｂ〜１０ｅに係合することで位置決めされている。また、セレクタ６は、その厚さ方向にスペーサ７と重なるように、針溝に嵌め込まれている。セレクタ６とスペーサ７（但し、弾性屈曲部７１とその近傍の厚さの薄いところを除く）とを合わせた厚さは、針溝の幅とほぼ同じである。【００４４】
ここで、図３(Ａ)に示すように、スペーサ７の弾性屈曲部７１と、セレクタ６の押出片６５とが、厚さ方向に重なっており、セレクタ６が、弾性屈曲部７１の突出方向（紙面奥方向）に付勢される。このとき、弾性屈曲部７１の屈曲の頂点部分が、押出片６５の側面に当接する位置にあり、セレクタ６を付勢する力は最大になる。その結果、セレクタ６が、ニードルプレート１０ｐの側壁に押し付けられて、重力や振動程度では上げ用バット６２および選針用バット６３が針溝内に沈み込まないように摺動抵抗を作用させられる。【００４５】
次に、編針ＫがＢポジションの位置で、非選針とされた状態を図３（Ｂ）に示す。このとき、選針アクチュエータ９９の可動突起９９ｎが、選針用バット６３を針溝側に押圧する位置に駆動される。この状態で、選針アクチュエータ９９が編針Ｋ上を通過すると、可動突起９９ｎが選針用バット６３を押圧して、上げ用バット６２が針溝内に沈められた状態になる。このとき、スペーサ７の弾性屈曲部７１が、屈曲の頂点で押出片６５の側面を弾性屈曲部７１の突出方向に押圧している。この押圧力は、ピアノ線１０ｂとの接触点を支点とするセレクタ６の揺動動作に対する摺動抵抗となるため、重力や振動によりセレクタ６の位置が変化することはない。【００４６】
また、編針Ｋが、図４（Ａ）に示すＨポジションにある場合、弾性屈曲部７１と押出片６５とが、弾性屈曲部７１の根元から頂点に至る傾斜部分で当接している。つまり、弾性屈曲部７１は、Ｂポジションのときよりも緩い力で押出片６５（セレクタ６）をスペーサ７の厚さ方向に押圧している。さらに、編針Ｋが、図４（Ｂ）に示すＡポジションにある場合、弾性屈曲部７１と押出片６５とが、弾性屈曲部７１（水平片７Ａ）の根元部分で対面しており、押出片６５（セレクタ６）は、その厚さ方向に実質的に付勢されない。そのため、ＡポジションとＨポジションの間、ＨポジションとＢポジションとの間におけるセレクタ６の進退動作に対する摺動抵抗は、従来のセレクタに比べて大幅に軽減され、円滑なセレクタ６の進退を可能にすることができる。それに伴い、キャリッジを高速走行させても、セレクタ６、スペーサ７、ニードルプレート１０Ｐ（図３）、選針アクチュエータの可動突起９９ｎの摩耗・損傷を抑制することができる。【００４７】
なお、Ｈ，Ａポジションでは、ピアノ線１０ｃとセレクタ６の下端面で凹部６Ｂのない箇所とが接触しており、弾性屈曲部７１によりセレクタ６がその厚さ方向に押圧される力が弱くても又はなくても、セレクタ６の上げ用バット６２および選針用バット６３が、針溝内に沈み込むことはない。【００４８】
以上説明したような構成を備える実施形態１の編針では、セレクタ６が針溝内をスライドするときに摺動抵抗が強く作用する弾性屈曲部７１の位置が、セレクタ６の揺動支点となるピアノ線１０ｂ及び力点となる下げ用バット６１から非常に離れた位置にあるので、セレクタ６が、ＨポジションからＢポジションに戻るときに、回転し難い。また、セレクタ６が、ＨポジションからＢポジションに戻るときに、セレクタ６とスペーサ７との摺動抵抗が段階的に増すようになっているので、さらにセレクタ６が回転し難い。なお、本実施形態では、図１０の編成カムシステムを前提としているため、ＨポジションからＢポジションに移動する際のセレクタの回転さえ抑制すれば、２段階目の選針ミスを回避できる。ただし、他の編成カムシステムにおいて、ＡポジションからＢポジションに移動する際のセレクタの回転が選針ミスにつながる場合であっても、本実施形態または次の実施形態であればセレクタの回転を抑制して、その選針ミスを回避することができる。【００４９】
＜実施形態２＞
実施形態２では、実施形態１と異なり、スペーサではなく、セレクタに部分的に屈曲した箇所を形成した編針Ｋを使用した横編機の選針機構を説明する。本実施形態の選針機構は、スペーサとセレクタの形状が異なる以外は、実施形態１と同様である。従って、実施形態１との相違点を中心に説明する。【００５０】
図５（Ａ）は、本発明セレクタの正面図、図５（Ｂ）はセレクタの下面図、図５（Ｃ）は、図５（Ｂ）の丸で囲った部分の拡大図である。また、図６（Ａ）は、本発明スペーサの正面図、図６（Ｂ）は、スペーサの下面図である。【００５１】
本実施形態のセレクタ６０は、正面から見た形状が、実施形態１のセレクタとほぼ同じ形状を有する。しかし、このセレクタ６を下面からみたときに、押出片６５０が、セレクタ６０の厚さ方向にＶ字状に突出しており、この押出片６５０がセレクタ側摺動抵抗作用部となる。また、押出片６５０は、その根元側から先端側に向かって傾斜しており、セレクタ６０に並列される部材を、押出片６５０の突出方向に付勢する弾性を有する。【００５２】
一方、スペーサ７０は、下面からみたときに厚さ方向に湾曲しておらず、真直ぐになっており、しかも、厚さ方向に突出する部分が形成されていない。このスペーサ７０には、実施形態１で弾性屈曲部７１が設けられていた箇所に空所７１０が形成されている。また、凹部７５の近傍で、先端（歯口）側（図の右側）に突出する突片７５０が形成されている。この突片７５０がスペーサ側摺動抵抗作用部となる。【００５３】
次に、これらセレクタ６０とスペーサ７０とを用いた編針を針溝に収納したときの配置状態を図７に基づいて説明する。図７は、セレクタ６０とスペーサ７０との位置関係のみを示す図であり、（Ａ）はＢポジションで選針状態にあるとき、（Ｂ）はＢポジションで非選針状態にあるとき、（Ｃ）はＨポジションにあるとき、（Ｄ）はＡポジションにあるときを示す。【００５４】
図７（Ａ），(Ｂ)に示すように、本実施形態の構成を有する編針では、Ｂポジションのときに、セレクタ６０の押出片６５０と、スペーサ７０の突片７５０とが重なる位置にある。そのため、押出片６５０が、押出片６５０の突出方向にスペーサ７０を付勢する。そして、この付勢に対する反力を受けて、セレクタ６０が針溝の側壁に押し付けられるので摺動抵抗が作用する。その結果、振動や重力程度でセレクタ６０の上げ用バット６２および選針用バット６３が針溝内に沈み込んだり、セレクタ６の位置が変化することがない。【００５５】
また、図７（Ｃ），（Ｄ）に示すように、本実施形態の編針では、ＨポジションやＡポジションのときに、セレクタ６０の押出片６５０は、空所７１０の位置にあり、スペーサ７０の突片７５０と重ならないようになっている。そのため、押出片６５０により、押出片６５０の突出方向にスペーサ７０が付勢されることがなく、従って、ＨポジションとＡポジションとの間でセレクタ６０が進退するときは、摺動抵抗作用部同士の接触による摺動抵抗が生じない。【００５６】
以上説明したような構成を備える実施形態２の編針では、セレクタ６０が、ＡポジションとＨポジションの間で移動するときに、セレクタ６０と針溝との摺動抵抗がほぼ一定で、しかも、従来の構造における摺動抵抗よりも小さい。また、本実施形態では、セレクタ６０が、ＨポジションからＢポジションに戻るときに、徐々に摺動抵抗が大きくなるようになっている。従って、ＨポジションからＢポジションに向かって、セレクタ６を高速で移動させても、セレクタ６０が回転し難い。
【産業上の利用可能性】
【００５７】
本発明の選針機構は、編成速度を高速化することができる横編機の構成部材として好適に利用可能である。また、本発明のセレクタ或いはスペーサは、編成速度の高速化に対応した選針機構に好適に利用することができる。
【図１】
2009016805.tif 000003
【図２】
2009016805.tif 000004
【図３】
2009016805.tif 000005
【図４】
2009016805.tif 000006
【図５】
2009016805.tif 000007
【図６】
2009016805.tif 000008
【図７】
2009016805.tif 000009
【図８】
2009016805.tif 000010
【図９】
2009016805.tif 000011
【図１０】
2009016805.tif 000012
【国際調査報告】
2009016805.tif 000013
2009016805.tif 000014
2009016805.tif 000015
2009016805.tif 000016